(57)【要約】【課題】オペレータが電話番号を指定するだけで、自動的に網の種類に応じたデータ通信を行い、ＩＰ網を通じて画像データを送信する場合には、より高品質の画像データを相手先へ送信することを可能とする通信端末システム及びドライバを提供すること。【解決手段】原稿データの送信相手先電話番号が公衆網用であるかＩＰ網用であるかを判断し、相手先電話番号がＩＰ網用であると判断した場合に呼制御プロトコルによって相手装置１９とコネクションを確立し相手装置１９が利用可能な通信手順及びデータ形式の提示を要求し、相手装置１９から提示された通信手順及びデータ形式から利用可能な通信手順及びデータ形式を選択し、選択した通信手順によって前記コネクション上で相手装置１９へ原稿データを送信する通信端末システム１。【選択図】      図４
2004260535.tif 000002
【特許請求の範囲】
【請求項１】
原稿データの送信相手先電話番号が公衆網用であるかＩＰ網用であるかを判断する判断手段と、前記判断手段により相手先電話番号がＩＰ網用であると判断された場合に、呼制御プロトコルによって当該送信相手先電話番号を指定して相手装置とコネクションを確立するコネクション確立手段と、前記コネクション上で前記相手装置へ前記原稿データを送信するＩＰ送信手段と、前記判断手段により相手先電話番号が公衆網用であると判断された場合に、前記原稿データをラスタライズして送信するファクシミリ送信手段と、を備えることを特徴とする通信端末システム。
【請求項２】
前記ＩＰ送信手段は、前記コネクション上で前記相手装置が利用可能な通信手順の提示を要求し、前記相手装置から提示された通信手順から選択した通信手順によって送信することを特徴とする請求項１記載の通信端末システム。
【請求項３】
前記ＩＰ送信手段は、前記コネクション上で前記相手装置が利用可能なデータ形式の提示を要求し、前記相手装置から提示されたデータ形式から選択したデータ形式によって変換された前記原稿データを送信することを特徴とする請求項１記載の通信端末システム。
【請求項４】
電子メールを受信する電子メール受信手段を更に備え、前記原稿データは、電子メールによって受信されることを特徴とする請求項１乃至３の何れかに記載の通信端末システム。
【請求項５】
受信した電子メールの転送先を決定する転送先決定手段を更に備え、前記送信相手先電話番号は、前記転送先決定手段によって決定された転送先であることを特徴とする請求項４記載の通信端末システム。
【請求項６】
コンピュータを、原稿データの送信相手先電話番号が公衆網用であるかＩＰ網用であるかを判断する判断手段、前記判断手段により相手先電話番号がＩＰ網用であると判断された場合に、前記原稿データをプリンタ記述言語に変換して送出する手段、前記判断手段により相手先電話番号が公衆網用であると判断された場合に、前記原稿データをラスタライズして送出する手段、として機能させるためのプリンタドライバプログラム。
【発明の詳細な説明】
【０００１】
【発明の属する技術分野】
本発明は、電子メール通信機能、ファクシミリ通信機能、ＨＴＴＰ（Ｈｙｐｅｒｔｅｘｔ  Ｔｒａｎｓｆｅｒ  Ｐｒｏｔｏｃｏｌ）通信機能など、複数の通信機能を備えた複合機としてのファクシミリサーバ装置及びそのクライアント装置からなる通信端末システムに関する。特に、ファクシミリサーバ装置がＩＰ（インターネットプロトコル）網をデータの伝送路として用い、原稿の画像データ、テキストデータ等の伝送を行う機能を備えた、通信端末システムに関する。
【０００２】
【従来の技術】
近年、ＩＰ網を利用して電話を行うＩＰ電話通信や、同じくＩＰ網を利用してファクシミリを行うＩＰファクシミリ通信が普及しつつあり、これら複数の通信機能が１つの装置に統合された、いわゆる複合機も開発されている。例えば、特許文献１に開示されているように、ＩＰ電話通信機能とＩＴＵ−Ｔ勧告Ｔ．３８に準拠したＩＰファクシミリ通信機能を具備し、ＩＰ電話通信とＩＰファクシミリ通信による送信及び受信を同時に行うことができる通信端末装置がある。
【０００３】
ＩＰ電話通信やＩＰファクシミリ通信を行うとき、相手の呼び出しや通話の管理など、一般公衆網の交換機が行う処理に相当する制御は、呼制御プロトコルによって行われる。現在、呼制御プロトコルとしてＨ．３２３とＳＩＰ（Ｓｅｓｓｉｏｎ  Ｉｎｉｔｉａｔｉｏｎ  Ｐｒｏｔｏｃｏｌ；ＲＦＣ２５４３）が多く利用されている。特にＳＩＰは、セッションの確立、変更、終了を行うだけで、セッションの内容には関知しない呼制御プロトコルであるため、上記したＩＰ電話通信やＩＰファクシミリ通信に限らず、ＳＭＴＰ（Ｓｉｍｐｌｅ  Ｍａｉｌ  Ｔｒａｎｓｆｅｒ  Ｐｒｏｔｏｃｏｌ）、ＨＴＴＰ（Ｈｙｐｅｒｔｅｘｔ  Ｔｒａｎｓｆｅｒ  Ｐｒｏｔｏｃｏｌ）など種々の通信手順を、発信側と着信側の間で確立したコネクション上で実行することが可能である。したがって、ＳＩＰによれば、送信元の通信端末装置は、送信相手装置とリアルタイムに直接データのやり取りを行うことができるという利点がある。
【０００４】
また、上記複合機を各種の通信サーバ装置としてＬＡＮに接続し、同じくＬＡＮに接続されたパーソナルコンピュータ等をクライアント装置としてサーバ／クライアント通信端末システムを構築して利用することも多い。クライアント装置から所望宛先へ原稿を送信する場合は、ワープロ・ソフト等を使って作成した原稿データを記録紙にプリントアウトすることなく直接ファクシミリサーバ装置を通じて相手先へ送信することができるので、記録紙の無駄な消費が無くなるとともに、送信操作が簡略化されるという利点がある。
【０００５】
クライアント装置におけるオペレータがワープロ・ソフト等を使って作成した原稿データの送信は、所定の送信操作画面上でオペレータが相手先電話番号を入力指定し送信開始ボタンをクリックするなどして行われる。すると、クライアント装置は、原稿データ、送信命令、相手先電話番号等をファクシミリサーバ装置に渡し、これらを受け取ったファクシミリサーバ装置は、その原稿データに符号化等の所定のデータ処理を施して指定された相手先電話番号に対し送信する。
【０００６】
【特許文献１】
特開２００２−１０１２５６号公報（第３−５頁、第２図）
【０００７】
【発明が解決しようとする課題】
しかしながら、ファクシミリサーバ装置によって、相手先へ送信される原稿データは、クライアント装置又はファクシミリサーバ装置によって、少なくとも１度ラスタライズされるため、その原稿データを受信する相手先装置では高品質のものを受け取ることができないという問題があった。
【０００８】
また、ファクシミリサーバ装置が電子メールにて受信した添付ファイルを、所定のファクシミリ番号に対して転送する場合も同様に、転送される原稿データがファクシミリサーバ装置においてラスタライズされた後に転送されるため、前記と同様の問題が発生していた。
【０００９】
本発明は、かかる課題に鑑みてなされたものであり、オペレータが電話番号を指定するだけで、自動的に網の種類に応じたデータ通信を行い、ＩＰ網を通じて画像データを送信する場合には、より高品質の画像データを相手先で再現することを可能とする通信端末システム及びプリンタドライバプログラムを提供することを目的とする。
【００１０】
【課題を解決するための手段】
上記目的を達成するために、請求項１記載の通信端末システムは、原稿データの送信相手先電話番号が公衆網用であるかＩＰ網用であるかを判断する判断手段と、前記判断手段により相手先電話番号がＩＰ網用であると判断された場合に、呼制御プロトコルによって当該送信相手先電話番号を指定して相手装置とコネクションを確立するコネクション確立手段と、前記コネクション上で前記相手装置へ前記原稿データを送信するＩＰ送信手段と、前記判断手段により相手先電話番号が公衆網用であると判断された場合に、前記原稿データをラスタライズして送信するファクシミリ送信手段と、を備えることを特徴としている。
【００１１】
請求項２記載の通信端末システムは、請求項１記載の通信端末システムにおいて、前記ＩＰ送信手段は、前記コネクション上で前記相手装置が利用可能な通信手順の提示を要求し、前記相手装置から提示された通信手順から選択した通信手順によって送信することを特徴としている。
【００１２】
請求項３記載の通信端末システムは、請求項１記載の通信端末システムにおいて、前記ＩＰ送信手段は、前記コネクション上で前記相手装置が利用可能なデータ形式の提示を要求し、前記相手装置から提示されたデータ形式から選択したデータ形式によって変換された前記原稿データを送信することを特徴としている。
【００１３】
請求項４記載の通信端末システムは、請求項１乃至３の何れかに記載の通信端末システムにおいて、電子メールを受信する電子メール受信手段を更に備え、前記原稿データは、電子メールによって受信されることを特徴としている。
【００１４】
請求項５記載の通信端末システムは、請求項４記載の通信端末システムにおいて、受信した電子メールの転送先を決定する転送先決定手段を更に備え、前記送信相手先電話番号は、前記転送先決定手段によって決定された転送先であることを特徴としている。
【００１５】
請求項６記載のプリンタドライバプログラムは、コンピュータを、原稿データの送信相手先電話番号が公衆網用であるかＩＰ網用であるかを判断する判断手段、前記判断手段により相手先電話番号がＩＰ網用であると判断された場合に、前記原稿データをプリンタ記述言語に変換して送出する手段、前記判断手段により相手先電話番号が公衆網用であると判断された場合に、前記原稿データをラスタライズして送出する手段、として機能させるものであることを特徴としている。
【００１６】
【発明の実施の形態】
以下、本発明の第１の実施の形態に係る通信端末システムについて図面に基づき説明する。図１に示すように、通信端末システム１は、複合機としてのファクシミリサーバ装置２とクライアント装置３とからなり、相互にＬＡＮ４を通じて通信可能に接続されている。
【００１７】
ファクシミリサーバ装置２は、ＣＰＵ（中央処理装置）５、ＲＡＭ（ランダムアクセスメモリー）６、ＲＯＭ（リードオンリーメモリー）７、コーデック８、モデム９、ＮＣＵ（ネットワークコントロールユニット）１０、読取部１１、記録部１２、操作部１３、及びＬＡＮインターフェース１４を備えたものであって、各部５乃至１４は通信可能にバス１５によって接続されている。
【００１８】
ＣＰＵ５は、所定のプログラムに従って、このファクシミリサーバ装置２を構成する各部を制御する。ＲＡＭ６は、画像データ、各種設定情報、後述する電話会社やイントラネットのＩＰ網用電話番号の体系等を記憶する記憶部として、また、一時的に蓄積される諸データの記憶部として機能する。ＲＯＭ７は、ＣＰＵ５によりこのファクシミリサーバ装置２の各部の動作が制御されるための各種プログラムを記憶している。
【００１９】
コーデック８は、原稿等の画像データを送信のためにＭＨ、ＭＲ、ＭＭＲ方式等により符号化し、受信した画像データを復号する。また、ＴＩＦＦ（Ｔａｇｇｅｄ  Ｉｍａｇｅ  Ｆｉｌｅ  Ｆｏｒｍａｔ）形式にも対応して画像データを符号化、復号する。
【００２０】
モデム９は、例えばＩＴＵ−Ｔ（国際電気通信連合）の勧告Ｖ．３４規格又はこれと同様のものに従った送受信データの変調及び復調を行うものであり、ＮＣＵ１０は、電話回線を制御してモデム９と公衆網（ＰＳＴＮ）１６とを接続したり切ったりする回線網制御装置である。
【００２１】
読取部１１は、原稿の画像データを読み取って、白黒２値化した画像データ等を出力する。記録部１２は、例えば電子写真方式のものからなり、受信した画像データ等を記録紙上に記録する。
【００２２】
操作部１３は、このファクシミリサーバ装置２の状態に関する情報、各種画面等を表示するディスプレイ１３ａ、ファクシミリ番号、メールアドレス等の各種情報を入力する入力キー１３ｂ等からなり、オペレータによる各種操作はこの操作部１３又はクライアント装置３を通じて行われる。ＬＡＮインターフェース１４は、ファクシミリサーバ装置２とＬＡＮ４とを接続するインターフェースとして機能する。
【００２３】
上記に説明した構成を備えるファクシミリサーバ装置２は複数の通信手段を備える複合機であり、ＵＤＰ／ＴＣＰ／ＩＰ（Ｕｓｅｒ  Ｄａｔａｇｒａｍ  Ｐｒｏｔｏｃｏｌ／Ｔｒａｎｓｍｉｓｓｉｏｎ  Ｃｏｎｔｒｏｌ  Ｐｒｏｔｃｏｌ／Ｉｎｔｅｒｎｅｔ  Ｐｒｏｔｃｏｌ）と、呼制御プロトコルの１つであるＳＩＰと、各種通信手順としてＳＭＴＰ（Ｓｉｍｐｌｅ  Ｍａｉｌ  Ｔｒａｎｓｆｅｒ  Ｐｒｏｔｏｃｏｌ）、ＨＴＴＰ（Ｈｙｐｅｒｔｅｘｔ  Ｔｒａｎｓｆｅｒ  Ｐｒｏｔｏｃｏｌ）等を実装している。これにより、ファクシミリサーバ装置２は、ＩＰ電話番号により指定した相手装置とＳＩＰによるコネクション（以下「ＳＩＰコネクション」という。）を確立した上で、各種通信手順を相手装置との間で直接実行することにより原稿の画像データ、テキストデータ等を相手装置に送信することができるようになっている。
【００２４】
また、ファクシミリサーバ装置２は、公衆網１６を通じてＧ３ファクシミリ通信を行う通信手段と、通常の電子メール送受信手段、すなわち、ＳＩＰコネクションを確立した上でＳＭＴＰ手順を実行し直接的に相手と電子メールのやり取りをするのではなく、各々のＳＭＴＰサーバ同士での電子メール転送処理を経て間接的に相手と電子メールの送受信をする手段をも備えている。
【００２５】
さらに、ファクシミリサーバ装置２は、受信電子メールの転送設定条件を登録するための転送条件設定テーブル（不図示）をＲＡＭ３に格納している。そして、該テーブルの設定条件や受信電子メールに含まれる所定形式で記載された転送命令情報に基づいて受信した電子メールを自動的に転送する自動転送機能を備えている。なお、転送は、後に詳述する各種条件に従って、公衆網によるＧ３ファクシミリ送信、ＳＩＰコネクション上での送信、又は通常の電子メール送信によって行われる。したがって、図２に示すように、ファクシミリサーバ装置２は上記した種々の通信手段により、クライアント装置３から受信した原稿データや自身が直接受信した電子メールを、公衆網１６又はＩＰ網１７を通じて電子メール受信端末１８、ＩＰ電話端末１９、又はＧ３ファクシミリ端末２０に送信することができる。
【００２６】
つぎに、ファクシミリサーバ装置２がＳＩＰコネクションを確立した上で各種通信手順を相手装置との間で直接実行する際に形成されるシーケンス例を図３に示す。図示するように、ファクシミリサーバ装置２は、同じくＵＤＰ／ＩＰ、ＳＩＰ、ＳＭＴＰ、ＨＴＴＰ等を実装した相手装置１９をＩＰ電話番号により指定し、呼制御セッションを形成してＳＩＰコネクションを確立する。そして、ＳＩＰコネクション上で図示するようなメディアセッションを形成し、その後、通信を切断するための呼制御セッションを形成する。
【００２７】
ここで形成されるセッションを更に詳細を説明する。まず、ファクシミリサーバ装置２は、ＳＩＰサーバ２１に対しＩＰ電話番号を指定した「ＩＮＶＩＴＥ」により相手先の呼出を要求する（Ｔ１）。これを受けたＳＩＰサーバ２１は、ファクシミリサーバ装置２から指定されたＩＰ電話番号のＩＰアドレスを、ＩＰ電話番号とＩＰアドレスの対応付け情報を持つロケーションサーバ（不図示）に問い合わせて、ＩＰアドレスを取得し、該ＩＰアドレスから特定される相手装置１９に対して、同じく「ＩＮＶＩＴＥ」を送出することにより呼び出しを行う。この時ＳＩＰサーバ２１からファクシミリサーバ装置２に対しては、相手装置１９が呼出中であることを示す信号「ＲＩＮＧＩＮＧ」が送出される（Ｒ１）。
【００２８】
ＳＩＰサーバ２１が呼び出した相手装置１９が呼出に対して応答すると、相手装置１９は、ＳＩＰサーバ２１に対して成功応答コード「２００」を送出し、これを受けたＳＩＰサーバ２１は、ファクシミリサーバ装置２に対して同じく成功応答コード「２００」を送出する（Ｒ２）。ファクシミリサーバ装置２は、次いで、前記成功応答コードを受け取ったことを示す「ＡＣＫ」をＳＩＰサーバ２１へ送出し（Ｔ２）、これを受けたＳＩＰサーバ２１は、相手装置１９に同じく「ＡＣＫ」を送出して、ファクシミリサーバ装置２と相手装置１９との間に、ＳＩＰコネクションを確立し、種々の通信手順の実行を可能とする通信状態を形成する。なお、上記のようにＳＩＰコネクションが確立されるまで形成される呼制御セッションを以下において「開始呼制御セッション」という。
【００２９】
ファクシミリサーバ装置２は、確立されたＳＩＰコネクション上で、相手装置１９との間で通信手順を実行する前に、相手が利用可能な通信手順及びデータ形式の提示を要求する所定コマンドを相手装置１９に送信し（Ｔ３）、相手装置１９はこれに応答して自装置１９の利用可能な通信手順についての情報をファクシミリサーバ装置２に対して提示する処理動作を実行するようになっている（Ｒ３）。また、ファクシミリサーバ装置２は、通信手順を実行する前に利用する通信手順を予め相手装置１９に対して通知するようになっており（Ｔ４）、その通知を受けた相手装置１９の受信準備を促した後、相手装置１９に通知した通信手順を実行し、原稿データの送信を行う（Ｔ５）。
【００３０】
ファクシミリサーバ装置２は、上記通信手順（メディアセッション）を終了した後（Ｔ６）、ＳＩＰコネクションの切断を要求する「ＢＹＥ」をＳＩＰサーバ２１へ送出し（Ｔ７）、これを受けたＳＩＰサーバ２１は相手装置１９に「ＢＹＥ」を送出する。そして、ＳＩＰサーバ２１が相手装置１９から成功応答コード「２００」を受けると、同じくファクシミリサーバ装置２に対しても成功応答コード「２００」を送出し（Ｒ４）、一連のセッションを終了する（通信を切断する）。なお、メディアセッションを終了した後、通信が切断されるまで形成される上記呼制御セッションを以下に、「終了呼制御セッション」という。
【００３１】
つぎに、クライアント装置３について説明する。クライアント装置３は、例えば、ファクシミリサーバ装置２とＬＡＮを通じて通信可能に接続されたパーソナル・コンピュータ等に所定の制御プログラムが組み込まれた装置で構成されたものである。前記制御プログラムには、クライアント装置３がファクシミリサーバ装置２に原稿データを送出する際の処理を実行するためのプリンタドライバプログラム２２も含まれる。
【００３２】
図１に示すように、クライアント装置３は、ＣＰＵ２３、ＲＡＭ２４、ＲＯＭ２５、ハードディスク２６、入力部２７、ＬＡＮインターフェース２８、及びこれらの各部２３乃至２８を相互に通信可能に接続するバス２９で構成されている。ハードディスク２６は各種情報を記憶する記憶装置であり、前記したプリンタドライバプログラム２２が組み込まれている。入力部２７は、オペレータが各種情報を入力するための入力手段であり、キーボード２７ａ、マウス２７ｂ等から構成されている。なお、ＣＰＵ２３、ＲＡＭ２４、ＲＯＭ２５、及びＬＡＮインターフェース２８は、前述したファクシミリサーバ装置２が具備するものと同様の機能を有するものである。
【００３３】
上記クライアント装置３において、所定のアプリケーション・ソフトにより作成されたアプリケーションデータファイル、ＨＴＭＬ文書ファイル、ＴＩＦＦ（Ｔａｇｇｅｄ  Ｉｍａｇｅ  Ｆｉｌｅ  Ｆｏｒｍａｔ）等の原稿データが、オペレータの所定送信操作によって送信すべき原稿データとして指定され、送信相手先電話番号が入力指定されるなどして送信処理が開始されると、クライアント装置３は、その原稿データをＰＤＬ等のプリンタ記述言語のデータ形式に変換してファクシミリサーバ装置２へ送出する。そして、これを受信したファクシミリサーバ装置２は、指定された電話番号に基づいて、ＩＰ網又は公衆網であるかを判断し、ＩＰ網であればＳＩＰコネクションを確立して原稿データを送信し、公衆網であればＧ３ファクシミリにより原稿データを送信する。以下、かかる処理動作ついて、図４及び５に示すフローチャートに基づいて詳細に説明する。なお、このフローチャートに基づいて説明するファクシミリサーバ装置２及びクライアント装置３の動作は、それぞれＲＯＭ７、ＲＯＭ２５又はハードディスク２６に記憶された制御プログラム等に基づいてＣＰＵ５、２３が発行する命令に従って行われる。
【００３４】
クライアント装置３において、オペレータの所定操作により、入力部２７により送信相手先電話番号が入力指定されると、クライアント装置３は、入力指定された相手先電話番号を受付け（Ｓ１）、送信命令及び受付けた相手先電話番号とともに送信すべき原稿データをＰＤＬ等のデータ形式に変換してファクシミリサーバ装置２に対し送出する（Ｓ２）。
【００３５】
一方、ファクシミリサーバ装置２は、クライアント装置３から送出された送信命令、原稿データ及び相手先電話番号を受信すると（Ｓ３）、指定された相手先電話番号が公衆網用の電話番号であるか、ＩＰ網用の電話番号であるかを予め登録された情報に基づき判断する（Ｓ４）。つまり、ＲＡＭ６の所定領域に記憶された、電話会社やイントラネットのＩＰ網用電話番号の体系情報に基づいて前記判断が行われる。電話会社やイントラネットの電話番号体系において例えば「０５０−」や「０８０−」で始まる電話番号がＩＰ網用電話番号に割り当てられている場合は、オペレータの入力操作等によって予めＲＡＭ３の所定領域にＩＰ網用電話番号の体系情報として「０５０−」や「０８０−」を登録しておくことで、ファクシミリサーバ装置２は、前記Ｓ３で受信した相手先電話番号の所定部分（上記の場合は最初の３桁）を抽出しそれが「０５０−」や「０８０−」と同一であるか否かを判断する。そして、相手先電話番号の当該部分が「０５０」や「０８０」である場合には相手先電話番号をＩＰ網用の電話番号であると判断し、それ以外の場合には相手先電話番号を公衆網用の電話番号であると判断する。
【００３６】
前記Ｓ４において、ファクシミリサーバ装置２が指定された送信相手先電話番号がＩＰ網用の電話番号であると判断したときは、前述した開始呼制御セッションを形成するための処理動作を行う。つまり、呼制御プロトコルによって前記送信相手先電話番号を指定して、当該相手装置１９との間でＳＩＰコネクションを確立する（Ｓ５）。
【００３７】
次いで、ファクシミリサーバ装置２は、確立されたＳＩＰコネクション上で、相手の利用可能な複数の通信手順及びデータ形式の提示を要求する所定コマンドを相手装置１９に対し送信する（Ｓ６、Ｔ３）。前記所定コマンドによる要求の応答として、相手装置１９から相手が利用可能な複数の通信手順及びデータ形式が提示されると、提示された中から自装置２が利用可能な通信手順及びデータ形式を、例えば各種の通信手順と各通信手順により送信が可能なデータ形式とが各々対応付けられて登録された登録情報（不図示）に基づいて、選択する（Ｓ７、Ｒ３）。例えば、前記登録情報において、ＨＴＴＰ（通信手順）とＨＴＭＬ（データ形式；Ｈｙｐｅｒｔｅｘｔ  Ｍａｒｋｕｐ  Ｌａｎｇｕａｇｅ）が対応付けて登録され、ＳＭＴＰ（通信手順）とＰＤＦ（データ形式；Ｐｏｒｔａｂｌｅ  Ｄｏｃｕｍｅｎｔ  Ｆｏｒｍａｔ）が対応付けて登録されている場合を想定する。かかる場合に、相手装置１９から通信手順としてＨＴＴＰ及びＳＭＴＰが提示されデータ形式としてＨＴＭＬが提示されると、ファクシミリサーバ装置２は、通信手順としてＨＴＴＰを、データ形式としてＨＴＭＬを選択する。相手装置１９から通信手順としてＳＭＴＰが提示され、データ形式としてＰＤＦ及びＴＩＦＦ（Ｔａｇｇｅｄ  Ｉｍａｇｅ  Ｆｉｌｅ  Ｆｏｒｍａｔ）が提示されると、ファクシミリサーバ装置２は、通信手順としてＳＭＴＰをデータ形式としてＰＤＦを選択するようになっている。
【００３８】
次いで、選択した通信手順により通信を開始することを相手装置１９に通知し（Ｓ８、Ｔ４）、送信すべき原稿データを前記Ｓ７で選択したデータ形式に変換して、同じくＳ７で選択した通信手順（ＳＭＴＰ、ＨＴＴＰ等）によって、ＳＩＰコネクション上で相手装置１９へ送信する（Ｓ９）。最後に、前述した終了呼制御セッションを形成して、ＳＩＰコネクションを切断する（Ｓ１０）。なお、前記Ｓ８の送信処理に際して行われるデータ形式の変換前に原稿データの一部をラスタライズしてもよい。
【００３９】
一方、前記Ｓ４において、指定された送信相手先電話番号がＩＰ網用電話番号ではないと判断した場合、つまり、指定された送信相手先電話番号が公衆網用電話番号であると判断したときは（Ｓ２：ＮＯ）、ファクシミリサーバ装置２は、クライアント装置３から受信した原稿データを全てラスタライズする（Ｓ１１）。そしてラスタライズした原稿データを、更にＧ３ファクシミリにより送信するために必要なデータ変換、符号化、ファイルフォーマット変換を施して、指定された公衆網用電話番号の相手装置（Ｇ３ファクシミリ端末）２０に対して送信する（Ｓ１２）。
【００４０】
次に、ファクシミリサーバ装置２が電子メールを受信し、これを前述した自動転送機能によって転送する際に実行される処理動作について、図５のフローチャートに基づいて説明する。
【００４１】
ファクシミリサーバ装置２が電子メールを受信すると（Ｓ５１）、受信した電子メールの内容に基づいて転送先或いは受信処理を決定する（Ｓ５２）。ここで、電子メールの内容とは、メールヘッダに記載された情報（発信元情報、サブジェクト情報等）、本文に記載された特定の情報、受信に際して取得されるＳＭＴＰコマンドに含められた特定の情報など、その電子メールの発信元等がファクシミリサーバ装置２に転送させることを意図して付加した情報である。また、ファクシミリサーバ装置２のユーザの意図を優先させるためにＲＡＭ６に形成された転送条件設定テーブル（不図示）等も決定に際して併せて参照されるようにしてもよい。
【００４２】
次いで、決定された処理が転送処理であって、その転送先が電話番号である場合は、公衆網用電話番号であるか、ＩＰ網用電話番号であるかを前記Ｓ４と同様の判断手法により判断する。公衆網用電話番号であると判断した場合は（Ｓ５３：公衆網）、前記Ｓ１１へ移行してその後に続く処理動作、つまり、受信した電子メールの添付ファイルをラスタライズして所定のデータ処理等を施してＧ３ファクシミリ送信にて転送する。一方、決定された転送先がＩＰ網用電話番号であると判断した場合は（Ｓ５３：ＩＰ網）、前記Ｓ５へ移行してその後に続く処理動作、つまり、相手装置１９との間にＳＩＰコネクションを確立し、そのコネクション上で、自装置２及び相手装置１９が利用可能であって、電子メールの転送処理に対処する通信手順（例えばＳＭＴＰ）にて受信した電子メールを転送する。また一方、前記Ｓ５２において決定された処理が電話番号への転送処理ではなく、メールアドレスへの転送処理や印刷処理などである場合は（Ｓ５４：その他）、通常の電子メールにて原稿データの転送を行い、あるいは、記録部１２において受信原稿データの印刷処理等を実行する（Ｓ５４）。
【００４３】
なお、以上説明した第１の実施の形態においては、原稿データのラスタライズは、ファクシミリサーバ装置２において実行されているが、次に示す第２の実施の形態に係る通信端末システム１Ａのように、第１の実施の形態に係るファクシミリサーバ装置２において行われる原稿データのラスタライズ処理（前記Ｓ１１）をクライアント装置３において実行させるようにしてもよい。そのために、第２の実施の形態に係るクライアント装置３Ａは、前述したＩＰ網用電話番号の体系情報を自身のハードディスク２６の所定領域に記憶しており、同じく自身のハードディスク２６に記憶しているプリンタドライバプログラム２２Ａに基づきＣＰＵ２３が発行する命令に従って、図６のフローチャートに示す処理動作を実行する装置として機能される。
【００４４】
すなわち、クライアント装置３Ａは、オペレータの所定操作により、送信相手先電話番号が入力指定されると、指定された相手先電話番号を受付け（Ｓ１０１）、受付けた相手先電話番号が公衆網用電話番号であるかＩＰ網用電話番号であるかをハードディスク２６の所定領域に記憶したＩＰ網用電話番号の体系情報に基づき判断し（Ｓ１０２）、相手先電話番号が公衆網用電話番号であると判断した場合には送信すべき原稿データをラスタライズし、送信命令、送信先電話番号とともに、ラスタライズした原稿データを第２の実施の形態に係るファクシミリサーバ装置２Ａへ送出する（Ｓ１０３）。また、相手先電話番号がＩＰ網用電話番号であると判断した場合には送信すべき原稿データをラスタライズせずに、ＰＤＬ形式に変換して、送信命令、送信宛先（ＩＰ電話番号）とともに、ファクシミリサーバ装置２Ａへ送出する（Ｓ１０４）。
【００４５】
一方、前記Ｓ１０３又はＳ１０４においてクライアント装置３Ａから送出された送信命令、原稿データ及び送信相手先電話番号をファクシミリサーバ装置２Ａが受信すると（Ｓ１０５）、前記Ｓ４で説明した判断手法に従って、その電話番号が公衆網用電話番号であるか、ＩＰ網用電話番号であるかを判断する（Ｓ１０６）。そして、送信相手先電話番号が公衆網用電話番号であると判断したときは、前記Ｓ１１移行の処理動作と同様の処理動作を行い、ＩＰ網用電話番号であると判断したときは、前記Ｓ３移行の処理動作と同様の処理動作を行う。
【００４６】
以上の説明から明らかなように、上記通信端末システム１、１Ａによれば、クライアント装置３のユーザが電話番号を指定するだけで、自動的に網の種類が判別され、ＩＰ網を利用して送信する場合には、原稿データの全部（又は一部）がラスタライズされずに、通信手順や相手先装置にあわせて最適化されて、相手先へ送信されるので、より高品質の原稿データを相手先で再現することが可能となる。
【００４７】
【発明の効果】
請求項１記載の通信端末システムによれば、ユーザが電話番号を指定するだけで、自動的に網の種類が判別され、ＩＰ網を利用して送信する場合には、原稿データがラスタライズされずに相手先へ送信することができるので、より高品質の原稿データを相手先で再現することができる。
【００４８】
請求項２記載の通信端末システムによれば、相手装置の利用可能な通信手順により原稿データを送信することができるので、不適切な通信手順の実行による通信エラーの発生を防止できる。
【００４９】
請求項３記載の通信端末システムによれば、相手装置は常に利用可能なデータ形式の原稿データを取得することができる。
【００５０】
請求項４記載の通信端末システムによれば、電話番号の宛先に受信した電子メールの添付ファイルを転送する場合にも請求項１乃至３記載の通信端末システムと同様の利点が得られる。
【００５１】
請求項５記載の通信端末システムによれば、電話番号の宛先に受信した電子メールを転送する場合にも請求項１乃至３記載の通信端末システムと同様の利点が得られる。
【００５２】
請求項６記載のプリンタドライバプログラムを通信端末システムのクライアント装置に組み込むことで、ＩＰ網を利用して送信する場合にラスタライズしていない原稿データをサーバ装置へ提供するクライアント装置を簡単に構成することができる。
【図面の簡単な説明】
【図１】本発明の実施の形態に係る通信端末システムの構成例を示した図である。
【図２】本発明の実施の形態に係る通信端末システムによる原稿データの送信経路を示した図である。
【図３】ＳＩＰ（呼制御プロトコル）により相手装置と通信を行う場合のセッション例を示したシーケンス図である。
【図４】クライアント装置からファクシミリサーバ装置を通じて原稿データが送信される際に実行される第１の実施の形態に係る通信端末システムの処理動作を示したフローチャートである。
【図５】ファクシミリ装置が受信した電子メールの転送処理等を示したフローチャートである。
【図６】クライアント装置からファクシミリサーバ装置を通じて原稿データが送信される際に実行される第２の実施の形態に係る通信端末システムの処理動作を示したフローチャートである。
【符号の説明】
１  通信端末システム
２  ファクシミリサーバ装置
３  クライアント装置
５、２３  ＣＰＵ
６、２４  ＲＡＭ
７、２５  ＲＯＭ
１６  公衆網
１７  ＩＰ網
２２、２２Ａ  プリンタドライバプログラム
【図１】
2004260535.tif 000003
【図２】
2004260535.tif 000004
【図３】
2004260535.tif 000005
【図４】
2004260535.tif 000006
【図５】
2004260535.tif 000007
【図６】
2004260535.tif 000008